(57)【要約】【課題】鋼製型枠への着脱操作性を簡便にしたコンクリート養生部材ならびにそれを用いたコンクリート養生装置および養生方法を提供する。【解決手段】鋼製型枠２の内側に打設されるコンクリート６を養生するためのコンクリート養生部材であって、側面養生部材１０と、上面養生部材２０と、防滴養生部材３０とを備える。側面養生部材１０の断熱材１２の着脱側１４ａには、断熱材１２を鋼製型枠２に磁気的に吸着するためのマグネットシート２２が設けられるようにする。また、鋼製型枠２の外側に形成されるリブ４０に係合可能な係合部１８を設けるようにする。【選択図】図１
2009208425.tif 000002
【特許請求の範囲】
【請求項１】
鋼製型枠の内側に打設されるコンクリートを養生するためのコンクリート養生部材であって、前記鋼製型枠の外側に対しマグネットにより着脱可能に取り付けられる断熱材を備えることを特徴とするコンクリート養生部材。
【請求項２】
前記鋼製型枠の外側に形成されるリブに係合可能な係合部をさらに備えることを特徴とする請求項１に記載のコンクリート養生部材。
【請求項３】
前記断熱材の着脱側には、前記断熱材を前記鋼製型枠に磁気的に吸着するためのマグネットシートが設けられることを特徴とする請求項１または請求項２に記載のコンクリート養生部材。
【請求項４】
前記断熱材は、補強板により形成されたシート状の中空体の内部と、
前記中空体の一方の面に突設された前記係合部としての中空凸部の内部とに設けられ、
前記中空凸部は、平面形状が矩形に形成されるとともに、前記中空凸部の先端部は前記中空体の面と平行な平坦面に形成され、この平坦面には前記鋼製型枠の型面外側に対して着脱可能なマグネットシートが設けられることを特徴とする請求項２または請求項３に記載のコンクリート養生部材。
【請求項５】
前記中空凸部は前記リブの配置形状に対応して複数個形成されることを特徴とする請求項４に記載のコンクリート養生部材。
【請求項６】
前記鋼製型枠に対する着脱操作時に操作者が把持するための握り部をさらに備えることを特徴とする請求項１から請求項５のいずれか一つに記載のコンクリート養生部材。
【請求項７】
請求項１から請求項６のいずれか一つに記載のコンクリート養生部材を有し、このコンクリート養生部材を前記鋼製型枠に取り付けた態様で前記コンクリートの断熱養生を行うことを特徴とするコンクリート養生装置。
【請求項８】
鋼製型枠で囲まれ上部が開口した有底箱状の型枠本体の内部に打設されるコンクリートを養生するコンクリート養生装置であって、
請求項１から請求項６のいずれか一つに記載のコンクリート養生部材を前記鋼製型枠の外側に装着される側面養生部材として用いるとともに、
前記型枠本体の内部に打設されるコンクリートの上面側に設けられ、補強板により形成されたシート状の中空体の内部に断熱材を有する上面養生部材とを含んで構成され、
前記上面養生部材は、その周縁から下向きに設けられた鍔片を備え、前記鍔片によって前記鋼製型枠の外側に装着された状態の前記側面養生部材の上端を外嵌するように構成されることを特徴とする請求項７に記載のコンクリート養生装置。
【請求項９】
前記上面養生部材は、前記コンクリート上面から上方に延びる鉄筋を通すための鉄筋通し穴を有することを特徴とする請求項８に記載のコンクリート養生装置。
【請求項１０】
前記上面養生部材および前記鉄筋を覆うように上方に設けられ、前記上面養生部材および前記鉄筋への雨滴の付着を防止する防滴養生部材を備えることを特徴とする請求項９に記載のコンクリート養生装置。
【請求項１１】
前記防滴養生部材は、前記鉄筋の上端部を被覆する鞘管をさらに備えることを特徴とする請求項１０に記載のコンクリート養生装置。
【請求項１２】
前記鉄筋通し穴には、前記鉄筋通し穴から前記コンクリート上面への雨滴の侵入を防止する防滴用弁部材が設けられることを特徴とする請求項９から請求項１１のいずれか一つに記載のコンクリート養生装置。
【請求項１３】
請求項１から請求項６のいずれか一つに記載のコンクリート養生部材を前記鋼製型枠に装着する部材装着工程と、前記コンクリート養生部材が前記鋼製型枠に装着された状態で前記コンクリートの断熱養生を行う養生工程と、前記コンクリート養生部材を前記鋼製型枠から脱着する部材脱着工程とを含むことを特徴とするコンクリート養生方法。
【発明の詳細な説明】
【技術分野】
【０００１】
本発明は、型枠内に打設されたコンクリートを養生するために用いるコンクリート養生部材、その部材を用いたコンクリート養生装置およびコンクリート養生方法に関するものであり、特に、コンクリートブロックなどのコンクリート二次製品（プレキャストコンクリート）を成形する型枠に外装することによって養生を行うコンクリート養生部材ならびにそれを用いたコンクリート養生装置および養生方法に関する。
【背景技術】
【０００２】
従来、コンクリートを打設した後に養生処理を行うことが知られている（例えば、特許文献１または特許文献２参照）。コンクリートの養生は、硬化したコンクリートが所定の材齢において必要な強度を発現するための有効な処置であるとともに、温度ひび割れの発生を抑制するための必要な処置である。養生方法としては、コンクリート硬化反応に伴う水和発熱を逃がさないようにコンクリート表面にシート等を被覆して行う断熱養生と、ヒーター等によってコンクリートを加熱して行う加熱養生とがある。
【０００３】
ところで、コンクリートブロック製品などのプレキャストコンクリート（以下、「ＰＣａコンクリート」という。）は、例えば、図１４に示すように、鋼製型枠２を側面として有底箱状に組み立てられた型枠本体４内に打設充填されたフレッシュコンクリート６が硬化することにより製造される。硬化中のＰＣａコンクリートを断熱養生する場合、例えば軽量な断熱材からなるシート状のコンクリート養生部材を、鋼製型枠２の外側に被覆するように装着して養生を行うことが知られている（例えば、特許文献３参照）。
【０００４】
【特許文献１】特開平６−１２９０９５号公報
【特許文献２】特開２００７−２０５０５４号公報
【特許文献３】特開２００１−３１７２０４号公報
【発明の開示】
【発明が解決しようとする課題】
【０００５】
ところで、上記の従来のシート状のコンクリート養生部材は、鋼製型枠２への着脱作業における操作性が必ずしも良好ではなかった。特に、養生対象のＰＣａコンクリートが多数あると、装着および脱着の手間が増えることによって、労務コストの上昇、ひいてはコンクリート製作コストの上昇を招く。
【０００６】
また、養生対象のＰＣａコンクリートが多数ある場合に、上記着脱作業の手間を低減するために、複数のＰＣａコンクリートの型枠本体４を集合配置させ、これらを跨ぐように、複数枚のシート状のコンクリート養生部材を用いて被覆すると、シート間にできた隙間からシート内部の暖気が漏れることにより養生性能が低下してしまうおそれがあった。
【０００７】
本発明は、上記実情に鑑みてなされたものであり、鋼製型枠への着脱操作性が簡便なコンクリート養生部材ならびにそれを用いたコンクリート養生装置および養生方法を提供することを目的とする。
【課題を解決するための手段】
【０００８】
上記の目的を達成するために、本発明の請求項１に係るコンクリート養生部材は、鋼製型枠の内側に打設されるコンクリートを養生するためのコンクリート養生部材であって、前記鋼製型枠の外側に対しマグネットにより着脱可能に取り付けられる断熱材を備えることを特徴とする。
【０００９】
また、本発明の請求項２に係るコンクリート養生部材は、上述した請求項１において、前記鋼製型枠の外側に形成されるリブに係合可能な係合部をさらに備えることを特徴とする。
【００１０】
また、本発明の請求項３に係るコンクリート養生部材は、上述した請求項１または請求項２において、前記断熱材の着脱側には、前記断熱材を前記鋼製型枠に磁気的に吸着するためのマグネットシートが設けられることを特徴とする。
【００１１】
また、本発明の請求項４に係るコンクリート養生部材は、上述した請求項２または請求項３において、前記断熱材は、補強板により形成されたシート状の中空体の内部と、前記中空体の一方の面に突設された前記係合部としての中空凸部の内部とに設けられ、前記中空凸部は、平面形状が矩形に形成されるとともに、前記中空凸部の先端部は前記中空体の面と平行な平坦面に形成され、この平坦面には前記鋼製型枠の型面外側に対して着脱可能なマグネットシートが設けられることを特徴とする。
【００１２】
また、本発明の請求項５に係るコンクリート養生部材は、上述した請求項４において、前記中空凸部は前記リブの配置形状に対応して複数個形成されることを特徴とする。
【００１３】
また、本発明の請求項６に係るコンクリート養生部材は、上述した請求項１から請求項５のいずれか一つにおいて、前記鋼製型枠に対する着脱操作時に操作者が把持するための握り部をさらに備えることを特徴とする。
【００１４】
また、本発明の請求項７に係るコンクリート養生装置は、上述した請求項１から請求項６のいずれか一つに記載のコンクリート養生部材を有し、このコンクリート養生部材を前記鋼製型枠に取り付けた態様で前記コンクリートの断熱養生を行うことを特徴とする。
【００１５】
また、本発明の請求項８に係るコンクリート養生装置は、上述した請求項７において、鋼製型枠で囲まれ上部が開口した有底箱状の型枠本体の内部に打設されるコンクリートを養生するコンクリート養生装置であって、請求項１から請求項６のいずれか一つに記載のコンクリート養生部材を前記鋼製型枠の外側に装着される側面養生部材として用いるとともに、前記型枠本体の内部に打設されるコンクリートの上面側に設けられ、補強板により形成されたシート状の中空体の内部に断熱材を有する上面養生部材とを含んで構成され、前記上面養生部材は、その周縁から下向きに設けられた鍔片を備え、前記鍔片によって前記鋼製型枠の外側に装着された状態の前記側面養生部材の上端を外嵌するように構成されることを特徴とする。
【００１６】
また、本発明の請求項９に係るコンクリート養生装置は、上述した請求項８において、前記上面養生部材は、前記コンクリート上面から上方に延びる鉄筋を通すための鉄筋通し穴を有することを特徴とする。
【００１７】
また、本発明の請求項１０に係るコンクリート養生装置は、上述した請求項９において、前記上面養生部材および前記鉄筋を覆うように上方に設けられ、前記上面養生部材および前記鉄筋への雨滴の付着を防止する防滴養生部材を備えることを特徴とする。
【００１８】
また、本発明の請求項１１に係るコンクリート養生装置は、上述した請求項１０において、前記防滴養生部材は、前記鉄筋の上端部を被覆する鞘管をさらに備えることを特徴とする。
【００１９】
また、本発明の請求項１２に係るコンクリート養生装置は、上述した請求項９から請求項１１のいずれか一つにおいて、前記鉄筋通し穴には、前記鉄筋通し穴から前記コンクリート上面への雨滴の侵入を防止する防滴用弁部材が設けられることを特徴とする。
【００２０】
また、本発明の請求項１３に係るコンクリート養生方法は、請求項１から請求項６のいずれか一つに記載のコンクリート養生部材を前記鋼製型枠に装着する部材装着工程と、前記コンクリート養生部材が前記鋼製型枠に装着された状態で前記コンクリートの断熱養生を行う養生工程と、前記コンクリート養生部材を前記鋼製型枠から脱着する部材脱着工程とを含むことを特徴とする。
【発明の効果】
【００２１】
本発明によれば、断熱養生に用いられる断熱材が鋼製型枠の外側に対しマグネットにより着脱可能に取り付けられるので、鋼製型枠への着脱操作性を簡便にすることができる。これにより、コンクリート養生部材の着脱作業に係る手間が低減され、作業コストを縮減することができる。
【発明を実施するための最良の形態】
【００２２】
以下に添付図面を参照しながら、本発明に係るコンクリート養生部材ならびにそれを用いたコンクリート養生装置および養生方法の好適な実施の形態をＰＣａコンクリートの断熱養生に適用される場合について詳細に説明する。図１は、本発明に係るコンクリート養生装置の概略側断面図であり、図２は、図１のＡ−Ａ線に沿った概略側断面図である。図３は、図１のＢ−Ｂ線に沿った概略横断面図である。
【００２３】
図１、図２および図３に示すように、本発明に係るコンクリート養生装置１００は、本発明のコンクリート養生部材としての側面養生部材１０と、上面養生部材２０と、防滴養生部材３０とを備える。
【００２４】
側面養生部材１０および上面養生部材２０は、断熱材を含んだパネル状の部材であり、ＰＣａコンクリート６内部の水和発熱を逃がすことがないように、それぞれＰＣａコンクリート６の側面の鋼製型枠２の外側およびコンクリート上面側８に配置される。防滴養生部材３０は、上面養生部材２０の上方に設けられる三角屋根状の部材であり、降雨時の雨滴がコンクリート６側へ侵入するのを防止するためのものである。
【００２５】
図４は、図３のＡ−Ａ線に沿った概略側断面図であり、図５は、側面養生部材１０が鋼製型枠２に装着された状態を示す概略側断面図である。また、図６は側面養生部材１０の正面図であり、図７は、側面養生部材１０の背面図であり、操作者による着脱操作の状況を示す図である。
【００２６】
側面養生部材１０は、図３、図４および図５に示すように、断熱材１２と、この断熱材１２を保護し、略矩形板状の中空パネル体１４を構成する補強板１６とを備える。また、側面養生部材１０は、図６に示すように、パネル体１４の正面１４ａ（着脱面）に外方に突設された係合部としての複数の凸部１８と、各凸部１８の先端面１８ａおよび下面１８ｂに貼着されたマグネットシート２２とを備える。このようにすることで、図４および図５に示すように、マグネットシート２２の磁力を利用して断熱材１２を鋼製型枠２のリブ４０に保持させることができる。
【００２７】
また、側面養生部材１０は、図７に示すように、パネル体１４の背面１４ｂ（操作面）に設けられた握り部としての把持ハンドル２４を備える。ハンドル２４を握って断熱材１２を運搬することで鋼製型枠２に容易に着脱することができる。
【００２８】
断熱材１２は、ＰＣａコンクリート６の水和熱を保温することを目的として用いられる。断熱材１２は熱伝導率が低く、かつ、断熱材１２の着脱操作性を考慮して軽量の材質であることが好ましい。この断熱材１２としては、例えば、ビーズ法ポリスチレンフォームや硬質ウレタンフォームなどのプラスチック系材料、セルロースファイバーなどの自然系材料あるいはグラスウールなどの鉱物系材料を用いることができる。
【００２９】
補強板１６は、断熱材１２の割れや欠損を防止するために用いられる。例えば、断熱材１２としてビーズ法ポリスチレンフォームを使用した場合、これに過大な力が作用したり突起物が接触すると、割れたり、穴が開いたりするおそれがある。このため、補強板１６を設けることによりこれを未然に防止する。補強板１６の材質としては、例えば塩化ビニル製のパネルを用いることができる。これは安価で入手できるため好適である。
【００３０】
凸部１８は、鋼製型枠２の外側に形成される補強リブ４０に断熱材１２の重量を伝達することを主な目的として用いられる。凸部１８の形状は、ＰＣａコンクリート６の水和熱を保温するのに好適なように、図１４に示すように、上下左右に延びた格子状のリブ４０と型面４２とによって画成される凹陥部４４に適合するように平面形状が矩形の略箱状に突出形成される。この凸部１８は複数の凹陥部４４に対応するように複数個形成される。また、凸部１８の先端部は、パネル面と平行な平坦な面１８ａとなっており、マグネットシート２２が貼着される。側面養生部材１０を鋼製型枠２に装着する場合には、この凸部１８の面１８ａのマグネットシート２２が鋼製型枠２の型面４２の外側に対して当接する一方で、マグネットシート２２を通じてパネル体１４は鋼製型枠２に吸着される。
【００３１】
また、凸部１８の下側面１８ｂには、鋼製型枠２の外側の格子状の補強リブ４０の上側面４０ａに対して着脱可能なマグネットシート２２が貼着される。側面養生部材１０を鋼製型枠２に装着した場合には、凸部１８の下側面１８ｂがリブ４０の上側面４０ａに当接載置された状態となり、側面養生部材１０の重量は、凸部１８先端面１８ａのマグネットシート２２による磁気的な力だけでなく、凸部１８下側面１８ｂを介してもリブ４０に支持される。なお、凸部１８の材質は特に限定するものではないが、例えば、上記断熱材１２と同じ材質で構成するようにしてもよい。また、図３等に示すように、凸部１８を補強板１６により中空構造にして内部に断熱材を装備するようにしてもよい。凸部１８を中空パネル体１４の補強板１６に貼着する方法としては、接着剤等により直接貼り付ける方法等を利用することができる。
【００３２】
マグネットシート２２は、断熱材１２を鋼製型枠２の型面４２の外側に吸着させることを目的として用いられるものであり、その材質としては磁石を用いることができる。このようにシート状とすることで、磁力による吸着面を広く確保することができる。この場合、マグネットシート２２は、鋼製型枠２への側面養生部材１０の吸着状態を維持できるものであれば、例えば単位面積当たりの磁力が低いもので構成しても構わない。
【００３３】
ハンドル２４は、側面養生部材１０の着脱時の操作性を向上させるために用いられる。図７に示すように、ハンドル２４は、着脱操作者１人が両手で抱え持ち易いように、パネル体１４の背面１４ｂの左上および右下の２箇所に設けられている。着脱操作者はこのハンドル２４を握って側面養生部材１０を資材置き場等から運搬し、鋼製型枠２の外側へ接触させるようにするだけで、側面養生部材１０をマグネットシート２２により鋼製型枠２に容易に装着することができる。また、鋼製型枠２から脱着する場合には、操作者は、このハンドル２４を握って鋼製型枠２から引き離す方向に、マグネットシート２２の吸着力をわずかに上回る力を加えるだけで側面養生部材１０を鋼製型枠２から容易に取り外すことができる。そして、取り外した側面養生部材１０を資材置き場に戻したり、他のＰＣａコンクリートの鋼製型枠２に装着するために用いるような運用を行うこともできる。
【００３４】
ハンドル２４の固定方法としては、例えば、図８に示すような方法を用いてもよい。この場合、ハンドル２４は、Ｕ字状のアーム部材であり、Ｕ字の両端部２６はネジ山が切られており、中空パネル体１４を貫通して正面１４ａから突き出るように配置される。そして、補強板１６に平行な板状のプレート２８ａが両端部２６に通され、各端部２６にはプレート２８ａの上からワッシャ２８ｂが入って、各ネジ山にナット２８ｃが締結されることによって、ハンドル２４は中空パネル体１４に固定される。このようにすることで、例えば、断熱材１２としてビーズ法ポリスチレンフォーム等の材料を採用する場合であっても、ハンドル２４を中空パネル体１４に簡便に取り付けることができる。
【００３５】
次に、上面養生部材２０について説明する。図９は、上面養生部材２０の概略平面図であり、図１０は、図９のＡ−Ａ線に沿った概略側断面図である。図１１は、上面養生部材２０の装着状態を示した概略側断面図である。
上面養生部材２０は、図９および図１０に示すように、コンクリート６の上面８に設けられる略矩形板状のシート状部材であり、補強板５６により形成された中空パネル体５４の内部には、断熱材５２が内装されている。上面養生部材２０の周縁には下向きの板状の鍔片５８が設けられる。上面養生部材２０の内方には上下を貫通する鉄筋通し穴５０が複数設けられている。
【００３６】
鍔片５８は、図１１に示すように、鋼製型枠２に装着された側面養生部材１０が誤って外れることを防止するために用いられるものである。上面養生部材２０をコンクリート上面８に配置した場合には、鋼製型枠２に装着された各側面養生部材１０の上端１０ａは鍔片５８に内嵌固定されるので、各側面養生部材１０は鋼製型枠２から離れないようになっている。
【００３７】
鉄筋通し穴５０は、コンクリート上面８から上方に延びる鉄筋９を通し、上面養生部材２０のコンクリート上面８への装着作業を容易にするために鉄筋９の位置および本数に応じて設けられるものである。鉄筋通し穴５０の直径は、鉄筋９の径と比較して若干大きい径に形成されてある。鉄筋通し穴５０の上縁には、図１２の部分拡大図に示すように、防滴弁部材６２やリング６４が設けられており、鉄筋９が通されないときには鉄筋通し穴５０を閉塞させる一方で、鉄筋９が通されるときには変形して鉄筋９を通すようにすることで、この鉄筋通し穴５０を通して上面養生部材２０の下側のコンクリート６の暖気が漏れることや、外部から雨滴が侵入することを防止するようにしている。
【００３８】
防滴弁部材６２は、図１３の概略平面図に示すように、ゴム等の弾性材からなる円盤状の弁であり、中心から径方向に４本の切れ込み６２ａが入っており、鉄筋通し穴５０に鉄筋９が通った状態には弾性変形することによって隙間が発生することを抑制し、鉄筋通し穴５０からの雨滴の侵入を防止するようになっている。リング６４は、防滴弁部材６２を固定するために防滴弁部材６２の外周縁に設けられるＯ状の部材であり、防滴弁部材６２が設けられる上面養生部材２０の上面と防滴弁部材６２との間に隙間が生じないようにしており、鉄筋通し穴５０からの雨滴等の侵入を防止している。
【００３９】
次に、防滴養生部材３０について説明する。
防滴養生部材３０は、図１および図２に示すように、降雨時における雨滴が上面養生部材２０、側面養生部材１０およびコンクリート６側に付着することを防止するために、これらの上方に設けられる。防滴養生部材３０は、低コストで製造可能なように二枚の板３２を三角屋根状に接合した単純な構成とされている。防滴養生部材３０の下面側の隅部の鉄筋９に対向する４箇所には、下端が開口した鞘管３４が設けられており、鞘管３４を鉄筋９の上端に被せることによって防滴養生部材３０がずれ落ちることを防止するようになっている。
【００４０】
上記構成の動作および作用について説明する。
まず、図１４に示すように、ＰＣａコンクリート６を成形するための型枠本体４は、鋼製底板１と４枚の同寸法の鋼製型枠２による側板とによって囲まれ、上部が開口した有底の直方体箱状とされる。鋼製型枠２は、鉛直に立てられた型面４２を有し、型面４２の周縁には外側に延びる枠部４６が形成され、型面４２の外面には格子状の補強リブ４０が突出形成されている。そして、型枠本体４の箱の内部にコンクリート６が打ち込まれた後、所定強度を発現するように硬化するまでの所定の期間、各養生部材１０、２０、３０が型枠本体４の周囲に装着されることにより断熱養生が行われる。
【００４１】
まず、各養生部材１０、２０、３０を鋼製型枠２に装着する場合について説明する。操作者は、図７に示すように、ハンドル２４を握って側面養生部材１０を鋼製型枠２の近傍まで運搬し、図３に示すように、各凸部１８を各凹陥部４４に挿入して、凸部１８下側面１８ｂを水平方向に延びるリブ４０の上側面４０ａに載せるように配置する。そうすると、図５に示すように、凸部１８の先端面１８ａのマグネットシート２２の磁気力によって断熱材１２が型面４２の外側に吸着される。これと同時に、凸部１８の下側面１８ｂのマグネットシート２２の磁気力によって凸部１８がリブ４０の上側面４０ａに吸着されるとともに、側面養生部材１０の重量は凸部１８を介してリブ４０に支持される。これにより側面養生部材１０が鋼製型枠２に操作者によって容易に装着される。この装着作業を別の側面養生部材１０を用いて残り３面の鋼製型枠２に対しても行うことにより、型枠本体４の４つの側面における側面養生部材１０の装着が完了する。このようにすることで、コンクリート６を側面側から保温し、断熱養生をすることが可能となる。
【００４２】
ついで、上面養生部材２０を型枠本体４の開口側からコンクリート上面８に配置する。この場合、コンクリート上面８からは、図３に示すように、口の字状に略等スパンに配置された複数本の鉄筋９が上方に延びているので、各鉄筋９を予め形成された各鉄筋通し穴に通しながら上面養生部材２０を上から下へ移動させ、図１１に示すように、コンクリート上面８に配置する。これによりコンクリート６を上面側から保温し、断熱養生をすることが可能となる。そして、既に装着されている４枚の側面養生部材１０の上端１０ａに対して鍔片５８を外嵌装着する。この鍔片５８が各上端１０ａの外側に配置されることにより各上端１０ａの外側への移動を拘束して固定する。こうすることにより、側面養生部材１０が鋼製型枠２から脱落することを防止する。
【００４３】
ついで、図１および図２に示すように、防滴養生部材３０を上面養生部材２０の上方に配置する。これにより養生期間中における雨滴のコンクリート６側への侵入を防止する。この場合、４つの鞘管３４を隅部の鉄筋９の上端に挿入して、防滴養生部材３０のずれ落ちを防止する。以上により、コンクリート養生装置１００の構成部材である側面養生部材１０、上面養生部材２０および防滴養生部材３０のコンクリート６側への装着が完了し、所定期間、断熱養生が行われることになる。
【００４４】
次に、脱着する場合について説明する。操作者は、防滴養生部材３０を取り外してから上面養生部材２０をコンクリート上面８から取り外す。そして、側面養生部材１０のハンドル２４を握り、鋼製型枠２から引き離す方向に力を加え、これを取り外す。残り３枚の側面養生部材１０についても同様の操作を行って鋼製型枠２から取り外す。このように、本発明によれば、側面養生部材１０を鋼製型枠２に対しマグネット２２により容易に着脱できるので、着脱操作性は従来よりも簡便である。
【００４５】
以上、本発明に係るコンクリート養生部材ならびにそれを用いたコンクリート養生装置および養生方法の実施形態について、ＰＣａコンクリートの断熱養生に対して適用する場合について説明した。以上のように、本発明によれば、断熱養生に用いられる断熱材１２が鋼製型枠２の外側に対しマグネットシート２２により着脱可能に取り付けられるので、鋼製型枠２への着脱操作性を簡便にすることができる。このため、コンクリート養生部材の着脱作業に係る手間が低減され、作業コストを縮減することができる。また、必要なときにのみ利用するような部材あるいは装置の運用方法を採用することが可能である。
【００４６】
また、上記の実施形態において、コンクリート養生部材は、断熱材１２と、補強材１６と、マグネットシート２２と、凸部１８と、ハンドル２４等とを備える簡素な構成であることから、低コストにて製造可能である。また、本構成は他の建設資材にも流用することが可能であり、リサイクルが容易な構成であることから、使用後の廃棄量を抑制することができる。
【００４７】
さらに、本発明のコンクリート養生装置および養生方法によれば、コンクリートが硬化する際に発生する水和熱を保温する断熱養生をより適切に行うことができるので、コンクリートの所定の強度が出現する材齢を従来よりも短縮することも可能である。
【図面の簡単な説明】
【００４８】
【図１】本発明に係るコンクリート養生装置の構成の一例を示す概略側断面図である。
【図２】図１のＡ−Ａ線に沿った概略側断面図である。
【図３】図１のＢ−Ｂ線に沿った概略横断面図であり、装着状況の一例を示す図である。
【図４】図３のＡ−Ａ線に沿った概略側断面図である。
【図５】側面養生部材が鋼製型枠に装着された状態を示す概略側断面図である。
【図６】側面養生部材の正面図である。
【図７】側面養生部材の背面図であり、操作者による着脱操作の状況の一例を示す図である。
【図８】本発明に係るハンドルの固定方法の一例を説明する概略側断面図である。
【図９】本発明に係る上面養生部材の概略平面図である。
【図１０】図９のＡ−Ａ線に沿った概略側断面図である。
【図１１】本発明に係る上面養生部材の装着状態の一例を示した概略側断面図である。
【図１２】本発明に係る鉄筋通し穴の断面図であり、鉄筋を通した状況の一例を示す部分拡大図である。
【図１３】本発明に係る防滴弁部材およびリングの一例を示す概略平面図である。
【図１４】ＰＣａコンクリートが打設された鋼製型枠の一例を示す概略斜視図である。
【符号の説明】
【００４９】
２  鋼製型枠
４  型枠本体
６  コンクリート
９  鉄筋
１０  側面養生部材（コンクリート養生部材）
１２，５２  断熱材
１４，５４  中空パネル体
１６，５６  補強材
１８  凸部（係合部）
２０  上面養生部材
２２  マグネットシート
２４  ハンドル
３０  防滴養生部材
３４  鞘管
５０  鉄筋通し穴
５８  鍔片
６２  防滴弁部材
６４  リング
１００  コンクリート養生装置
【図１】
2009208425.tif 000003
【図２】
2009208425.tif 000004
【図３】
2009208425.tif 000005
【図４】
2009208425.tif 000006
【図５】
2009208425.tif 000007
【図６】
2009208425.tif 000008
【図７】
2009208425.tif 000009
【図８】
2009208425.tif 000010
【図９】
2009208425.tif 000011
【図１０】
2009208425.tif 000012
【図１１】
2009208425.tif 000013
【図１２】
2009208425.tif 000014
【図１３】
2009208425.tif 000015
【図１４】
2009208425.tif 000016